(57)【要約】【課題】デバイスを、筐体及び蓋付き容器用のクロージャとして利用する。【解決手段】磁石及びリビングヒンジの両方を組み込んでいるデバイスは、電子デバイスを保護する筐体を構築し、筐体及び蓋付き容器用のクロージャとして機能するために利用することができる。そのような筐体は、多くの場合、３つの３６０°に曲がることができ、それにより、筐体は、保護するデバイスをその中に閉じるか、又はそれ自体の上に閉じることができるようになり、それにより、筐体は、一品の衣類などの基材に電子デバイスを固定するように機能できるようになる。また、本開示のデバイスは、ばらばらな品物を一緒にまとめて保持するように使用できる。【選択図】図１
2020025299.tif 000002
【特許請求の範囲】
【請求項１】
電子デバイスであって、
表示画面を有する電子構成要素と、
連続した材料に形成されたリビングヒンジであって、前記連続した材料が前記リビングヒンジによって離間した少なくとも２つのモジュールを画定する、リビングヒンジとを備え、
前記電子構成要素は、前記少なくとも２つのモジュールに取り付けられており、
第１のモジュールに沿って配置された第１の希土類磁石と、第２のモジュールに沿って配置された第２の磁石、希土類磁石、又は強磁性若しくはフェリ磁性基材とが、前記電子デバイスを物体のまわり又は物体に取り付けるように構成される、電子デバイス。
【請求項２】
前記電子構成要素は、クリップ、スリット、ループ、接着剤、磁石又は希土類磁石、及びこれらの組み合わせからなる群から選択される少なくとも１つの要素を使用して、前記リビングヒンジによって離間した前記少なくとも２つのモジュールに取り付けられている、請求項１に記載の電子デバイス。
【請求項３】
前記電子構成要素が、腕時計、置き時計、電話、ＧＰＳデバイス、ケーブル、無線送信機、デジタル音楽プレーヤ、スピーカ、照明又は反射鏡、及びこれらの組み合わせからなる群から選択される、請求項１に記載の電子デバイス。
【請求項４】
前記電子構成要素は、ループを使用して、前記リビングヒンジによって離間した前記少なくとも２つのモジュールに取り付けられている、請求項２に記載の電子デバイス。
【請求項５】
前記電子構成要素は、クリップを使用して、前記リビングヒンジによって離間した前記少なくとも２つのモジュールに取り付けられている、請求項２に記載の電子デバイス。
【請求項６】
前記電子構成要素は、スリットを使用して、前記リビングヒンジによって離間した前記少なくとも２つのモジュールに取り付けられている、請求項２に記載の電子デバイス。
【請求項７】
前記電子構成要素は、スリット及びループを使用して、前記リビングヒンジによって離間した前記少なくとも２つのモジュールに取り付けられている、請求項２に記載の電子デバイス。
【請求項８】
前記電子構成要素が、腕時計、ＧＰＳデバイス、無線送信機、及びこれらの組み合わせからなる群から選択される、請求項３に記載の電子デバイス。
【請求項９】
前記リビングヒンジによって離間した前記少なくとも２つのモジュールは、第１及び第２の磁石を有していると共に、前記第１及び第２の磁石の極性が前記リビングヒンジによって離間した前記少なくとも２つのモジュールに前記物体のまわりを包ませるように構成される、請求項８に記載の電子デバイス。
【請求項１０】
前記電子デバイスは、前記物体に取り付けられたとき、ハンズフリーで使用できるように構成される、請求項９に記載の電子デバイス。
【請求項１１】
前記少なくとも２つのモジュールの一方は、フェリ磁性材料又は強磁性材料であり、前記少なくとも２つのモジュールの他方は、少なくとも１つの磁石を含む、請求項１に記載の電子デバイス。
【請求項１２】
前記２つのモジュールの少なくとも一方は、連続したフェリ磁性基材である、請求項１０に記載の電子デバイス。
【請求項１３】
前記リビングヒンジの自然な曲がり点は、連続したフェリ磁性材料である、請求項１２に記載の電子デバイス。
【請求項１４】
前記電子デバイスは、前記物体上の前記電子デバイスの張力を調節するように操作され得る、請求項８に記載の電子デバイス。
【発明の詳細な説明】
【技術分野】
【０００１】
本発明は、リビングヒンジを組み込んでいる装置及び付属品に関する。本発明は、特に、電気デバイスに使用されるそのような装置及び付属品に関する。
【背景技術】
【０００２】
これまで、電子デバイスに使用される筐体は、主として、デバイスを環境から保護するために利用されている。例えば、固体デバイスであっても、そのようなデバイスを衝撃から保護することが望ましいことがある。したがって、そのようなデバイス用の筐体は、多くの場合、そのようなデバイスを落とすことに起因する加速・減速を弱めるためにいろいろのタイプの詰め物を含んでいた。同様に、湿度に敏感なデバイスは、デバイスに達する湿度を遮断又は少なくとも軽減する筐体を有するであろう。
【０００３】
より最近では、そのような筐体は、今や、デバイスを保護すること及びユーザの手を解放することの両方のために利用される。今日の社会では、マルチタスクはもはやオプションではなく、必須である。例えば、人々がジョギング又はサイクリングをし、衣類又は装具に留めた電子デバイスを使用するのを見るのはありふれている。
【０００４】
電子デバイス及びそのようなデバイス用の付属品を生産する技術分野では、デバイスを効率的且つ便利に携帯して利用できるように、デバイスを容器に入れるか又はデバイス自体を設計することが望ましいことになる。
【発明の概要】
【課題を解決するための手段】
【０００５】
１つの態様において、本発明は、リビングヒンジによって離間した２つのモジュールを備え、かつ第１のモジュール上に又は第１のモジュール内に配置された第１の磁石と、第２のモジュール上に又は第２のモジュール内に配置された第２の磁石又は強磁性若しくはフェリ磁性基材とをさらに備える電子デバイスであり、電子デバイスは、モジュールが開いた位置にある状態で使用され得るように構成され、且つ第１の磁石と、第２の磁石又は強磁性若しくはフェリ磁性基材とがデバイスを目標基材上に付着させるように機能するように、目標基材がモジュール間にある状態でモジュールを閉じることによって格納され得るように構成される。
【０００６】
別の態様において、本発明は、リビングヒンジによって離間した２つのモジュールを備え、かつ第１のモジュール上に又は第１のモジュール内に配置された第１の磁石と、第２のモジュール上に又は第２のモジュール内に配置された第２の磁石又は強磁性若しくはフェリ磁性基材とをさらに備える電子デバイスの筐体であり、筐体は、第１の磁石と第２の磁石又は強磁性若しくはフェリ磁性基材とがデバイスを目標基材上に付着させるように機能するように、目標基材がモジュール間にある状態でモジュールを閉じることによって格納され得るように構成される。実施形態によっては、筐体は、電子デバイス用の付属品をさらに固定するように構成することができる。
【０００７】
さらなる別の態様において、本発明は、筐体と、筐体用の別個のクロージャとを備えるシステムであり、筐体用のクロージャが、リビングヒンジによって離間した２つのモジュールを有し、第１のクロージャ・モジュール上に又は第１のクロージャ・モジュール内に配置された第１の磁石と、第２のクロージャ・モジュール上に又は第２のクロージャ・モジュール内に配置された第２の磁石又は強磁性若しくはフェリ磁性基材とをさらに備え、筐体は、ヒンジによって離間した２つの構成要素と、第１の筐体構成要素上に又は第１の筐体構成要素内に配置された第１の磁石と、第２の筐体構成要素上に又は第２の筐体構成要素内に配置された第２の磁石又は強磁性若しくはフェリ磁性基材とを有し、クロージャ及び筐体は、クロージャ構成要素が筐体構成要素に付着してそれらを閉じた状態に保持するように構成される。
【０００８】
本発明の別の態様は、容器（container）と、容器用の別個のクロージャとを備えるシステムであり、容器用のクロージャは、リビングヒンジによって離間した２つのクロージャ・モジュールを有し、第１のクロージャ・モジュール上に又は第１のクロージャ・モジュール内に配置された第１の磁石と、第２のクロージャ・モジュール上に又は第２のクロージャ・モジュール内に配置された第２の磁石又は強磁性若しくはフェリ磁性基材とをさらに備え、容器は、本体と、ヒンジによって接続された蓋と、蓋上に又は蓋内に配置された第１の磁石と、本体上に又は本体内に配置された第２の磁石又は強磁性若しくはフェリ磁性基材とを有し、クロージャ及び筐体は、クロージャが蓋及び本体の両方に付着してそれらを閉じた状態に保持するように構成される。
【０００９】
さらなる別の態様において、本発明は、リビングヒンジによって離間した第１の構成要素と第２の構成要素とを備え、第１のモジュール上に又は第１のモジュール内に配置された第１の磁石と、第２の構成要素上に又は第２の構成要素内に配置された第２の磁石又は強磁性若しくはフェリ磁性基材とをさらに備えるデバイスであり、デバイスは、第１の構成要素及び第２の構成要素を接続できるように構成され、第１の磁石と、第２の磁石又は強磁性若しくはフェリ磁性基材とが２つの構成要素を一緒に保持するように機能し且つデバイスの構成要素間に物体をさらに固定するように構成される。実施形態によっては、デバイスは、磁性、接着剤、又は機械手段を使用して物体を別の物体にさらに固定することができる。
【００１０】
別の実施形態において、本発明は、タブレット・パーソナル・コンピュータ（ＰＣ）又は他の電子デバイスに磁性物体を取り付けるためのデバイスであり、デバイスは、磁性物体を受け入れるように構成された第１の表面と、タブレットＰＣ又は他の電子デバイスにデバイスを固定するように機能する接着剤を有する第２の表面とを有する基材と、磁性デバイスのまわりを包んでデバイスの第１の表面に固定するように構成されるリビングヒンジを使用して、基材に接続された少なくとも１つのバンドとを備える。
【００１１】
本発明の別の実施形態は、少なくとも２つの磁石を利用するデバイスへの改善であり、デバイスは、２つの磁石の間を滑らされる物体を受け入れて所定位置に固定するように構成され、改善は、物体と、磁石のうちの１つとの間に少なくとも１つの挿入物を利用することを含み、挿入物はくさびの形状である。
【００１２】
さらなる別の実施形態において、本発明は、基材を物体に固定するために少なくとも２つの磁石を有する汎用デバイスであり、基材は多くの異なる構成要素を受け入れるように適合することができる。
【００１３】
本発明の別の実施形態は、第１のタブ、リビングヒンジ、及び第２のタブを含むファイバー（fiber）又はコード（cord）管理システムであり、リビングヒンジはタブよりも実質的に狭く、第１のタブは単一磁石を有し、且つ第２のタブは、第１のタブの磁石と逆の極性を有する少なくとも３つの磁石を有し、リビングヒンジは、ファイバー又はコードを巻き付けることができる基材として機能し、第１のタブは、コード又はファイバーの張力を維持するように選択された取付けの点に被せることによって、第２のタブに取り付くように位置づけることができる。
【００１４】
さらなる別の実施形態において、本発明は、基材を物体に固定するために少なくとも２つの磁石を有する特定用途デバイスであり、基材は、眼鏡をスマート眼鏡に変換するのに有用な構成要素を受け入れるように適合することができる。
【００１５】
別の実施形態において、本発明は、リビングヒンジが間にある２つのモジュールと、各モジュール内の磁石とを備え、モジュールが互いに向かって曲げられたとき接触し、モジュールを閉じた位置で一緒に保持するように構成され、クリーニング表面をさらに含むデバイスである。
【００１６】
さらなる別の実施形態において、本発明は、物体及び基材上で請求項１８に記載のデバイスを閉じることを含む、物体を基材に付ける方法である。
【００１７】
本発明の上述及び他の特徴及び利点は、添付図面を参照しながら本発明の実施形態を詳細に説明することによってより明らかになるであろう。
【図面の簡単な説明】
【００１８】
【図１】２つのモジュールを有する電子デバイスを開いた位置で示す図である。
【図２】筐体内の電子デバイスを開いた位置で示す図である。
【図３】２つのリビングヒンジを有する筐体内の電子デバイスを示す図である。
【図４Ａ】筐体内にあり、シャツに取り付けられた電子デバイスを、見るためにデバイスを開けた状態で示す図である。
【図４Ｂ】筐体内にあり、シャツに取り付けられた電子デバイスを、デバイスを覆った状態で示す図である。
【図５Ａ】筐体内にある電子デバイスを、見るためにデバイスを開けた状態で示す図である。
【図５Ｂ】筐体内にある電子デバイスを、デバイスを覆った状態で示す図である。
【図６】筐体内の電子デバイスを示しているが、別個のクロージャを利用している図である。
【図７】別個のクロージャを使用して閉じた状態で固定された、蓋をもつ容器を示す図である。
【図８】タブレットＰＣ又は他の電子デバイスに磁性物体を取り付けるためのデバイスの第１の実施形態を示す図であり、デバイスは、磁性物体を受け入れるように構成された第１の表面と、タブレットＰＣ又は他の電子デバイスにデバイスを固定するように機能する接着剤を有する第２の表面とを有する基材と、磁性デバイスのまわりを包むように構成される、リビングヒンジを使用して基材に接続された少なくとも１つのバンドとを有する。
【図９】図８に示したデバイスの第２の実施形態を示す図である。
【図１０】少なくとも２つの磁石を利用するデバイスへの改善を示す図であり、デバイスは、２つの磁石間を滑らされる物体を受け入れ、物体を所定位置に固定するように構成され、改善は、物体と磁石のうちの１つとの間に少なくとも１つの挿入物を利用することを含み、挿入物はくさびの形状である。
【図１１】基材を物体に固定するために少なくとも２つの磁石を有する汎用デバイスを示す図であり、基材は多くの異なる構成要素を受け入れるように適合することができる。
【図１２】第１のタブ、リビングヒンジ、及び第２のタブを有するファイバー又はコード管理システムを示す図である。
【図１３】基材を物体に固定するために少なくとも２つの磁石を有する特定用途デバイスを示す図であり、基材は、眼鏡をスマート眼鏡に変換するのに有用な構成要素を受け入れるように適合することができる。
【図１４】本願のデバイスのうちの１つに使用されるクリーニング表面を示す図である。
【発明を実施するための形態】
【００１９】
１つの態様では、本発明は、リビングヒンジによって離間した２つのモジュールを含む電子デバイスである。電子デバイスという用語は、表示画面と実施形態によってはキーボード構成要素とを有するような、限定はしないが、携帯電話、スマートフォン、いくつかのタブレット・コンピュータ、ラップトップ・コンピュータ、ｉＰｏｄ（Ａｐｐｌｅ（登録商標）コーポレーションの商標名）、又は他の小さい音楽プレーヤなどを含むデバイスを意味する。
【００２０】
「リビングヒンジ」という用語は、本開示の目的では、ピンヒンジなどの機械的ヒンジとは対照的に、２つの構成要素をつなぐ薄い可撓性のヒンジ（屈曲ベアリング）を意味する。実施形態によっては、ヒンジは、ヒンジが接続する２つの部分と同じ材料から製作される。ヒンジが接続する構成要素と同じ材料からヒンジが製作される場合、ヒンジは、同じ又は異なる厚さとすることができ、連続した材料のちょうど自然な曲がり点であることもできる。
【００２１】
本開示のデバイス及びシステムの実施形態は、磁石及び／又は強磁性又はフェリ磁性構成要素を含む。強磁性又はフェリ磁性構成要素は、鉄又は他の従来のフェリ磁性及びフェリ磁性材料で製作することができる。それは複合物とすることもできる。例示的な複合物は、鉄を伴うアルミニウム、ニッケル、及びコバルト化合物の組合せを含む。そのような複合物は、金属を焼結させることによって、又は金属成分を樹脂と混合し、射出成形することによって製作することができる。酸化鉄と、炭酸バリウム及び炭酸ストロンチウムなどのセラミック構成要素との混合物を使用して、本願にとって有用な強磁性又はフェリ磁性構成要素として使用するためのセラミック磁石を製作することができる。本願の目的では、限定はしないが、サマリウム及びネオジム系磁石などの希土類磁石は、フェリ磁性及びフェリ磁性材料であり、本願にとって有用な強磁性及びフェリ磁性構成要素を準備するのに使用することができる。任意の磁性材料、又は磁石に引き寄せられる材料を使用して、本願にとって有用な強磁性又はフェリ磁性構成要素を準備することができる。
【００２２】
１つの実施形態では、本発明は、リビングヒンジによって離間した２つのモジュールを含み、かつ第１のモジュール上に又はその中に配置された第１の磁石と、第２のモジュール上に又はその中に配置された第２の磁石又は強磁性若しくはフェリ磁性基材とをさらに含む電子デバイスであり、電子デバイスは、モジュールが開いた位置にある状態で電子デバイスを使用することができ、目標基材がモジュール間にある状態でモジュールを閉じることによって電子デバイスを格納し、その結果、第１の磁石と第２の磁石又は強磁性若しくはフェリ磁性基材とがデバイスを目標基材上に付着させるように機能することができるように構成される。
【００２３】
電子デバイスは、当業者に知られている任意の手段を使用してモジュールに取り付けることができる。例えば、１つの実施形態では、デバイス上に既に現存するクリップなどの取付け点を使用して、スリット又はループによってモジュールにクリップ留めすることができる。別の実施形態では、第１の磁石をデバイスに取り付けることができ、第２の磁石は、デバイスが２つの磁石によって所定位置に保持される取付けの点でモジュールに取り付けることができる。さらなる別の実施形態では、接着剤を使用することができる。
【００２４】
図１に移ると、そのようなデバイス１００が示され、デバイスは、参照番号１０２の画面又は出力要素と、参照番号１０３のキーパッド又は入力要素とを有する。参照番号１０５Ａ及び１０５Ｂは、別個に、第１の磁石、あるいは第２の磁石又は強磁性若しくはフェリ磁性基材である。本開示の少なくとも１つの実施形態では、第１及び第２のモジュールは、可撓性材料の連続部分に付着される。これは、参照番号１０１で指定される。リビングヒンジは参照番号１０４位置する。実施形態によっては、リビングヒンジは、リビングヒンジが可撓性材料の連続部分の自然な曲がり点であるように位置する。
【００２５】
異なる実施形態では、リビングヒンジは、デバイスの２つのモジュールを構成する２つの別個の部分を離間する異なる材料で製作される。そのような実施形態では、モジュールを構成する材料は、リビングヒンジ加工品よりも強剛とすることができ、剛体材料とすることができる。
【００２６】
すべての実施形態において、入力要素及び出力要素は互いに通信する。これは、入力要素と出力要素との間を延びる素線（図示せず）によって行うことができ、ＢＬＵＥＴＯＯＴＨ（登録商標）などのような電子プロトコルを使用して達成することができる。１つの実施形態では、デバイスは携帯電話である。別の実施形態では、デバイスは、小さいタブレット・パーソナル・コンピュータとすることができる。すべての実施形態において、デバイスは、モジュールを一緒にする持ち運ぶためにヒンジで曲がることができ、その結果、磁石は、磁石及び強磁性若しくはフェリ磁性基材であり、閉じた位置でデバイスを保持するように係合することができる。デバイスは、使用するために完全に又は部分的に開くことができる。
【００２７】
本発明の別の実施形態は、リビングヒンジによって離間した２つのモジュールを含み、かつ第１のモジュール上に又はその中に配置された第１の磁石と、第２のモジュール上に又はその中に配置された第２の磁石又は強磁性若しくはフェリ磁性基材とをさらに含む電子デバイス用の筐体であり、筐体は、目標基材がモジュール間にある状態でモジュールを閉じることによって筐体を格納し、その結果、第１の磁石と第２の磁石又は強磁性若しくはフェリ磁性基材とがデバイスを目標基材上に付着させるように機能することができるように構成される。実施形態によっては、筐体は、電子デバイス用の付属品をさらに固定するように構成することができる。
【００２８】
そのようなデバイス（２００）が、図２に示される。そのような実施形態において、電子デバイス（２０２）は、可撓性材料（２０１）の連続部分の第１のモジュールに付けられる。リビングヒンジ（図示せず）は、参照番号２０３で示される付属品のケーブルの下にある。図示の実施形態では、参照番号２０５の第１の磁石と、参照番号２０５Ａによって指定された第２の磁石又は強磁性若しくはフェリ磁性基材とがある。この実施形態では、リビングヒンジは、可撓性材料の連続部分の狭部によって形成され、それは付属品のケーブル又は素線を格納するための都合のよい場所でもある。
【００２９】
図２に示したデバイスの１つの用途はデジタル音楽プレーヤとすることができる。そのような用途において、付属品は電力ケーブル又はイヤプラグとすることができる。以前のデバイスとまったく同じように、リビングヒンジは、デバイスを閉じることができるようにし、その結果、構成要素を連続的可撓性材料で覆うことができるように機能する。代替の実施形態では、リビングヒンジは剛性構成要素につながって、環境から追加の保護を行い、又はより安定な動作プラットフォームを提供することができる。
【００３０】
電子デバイス、磁石、強磁性若しくはフェリ磁性材料、又は他の構成要素のいずれかが本開示の本発明の実施形態を行う途中に筐体に付けられるとき、それらは粘着剤を使用して付着させることができる。そのような１つの実施形態は、粘着剤の供給源として両面ガッファーテープを使用することを含む。任意の粘着剤を、本願の方法に使用することができる。
【００３１】
実施形態によっては、筐体は、裏返しにすることができ、一方の面は第１の色とすることができ、他方の面は第２の色とすることができる。筐体の所定位置に電子デバイスを保持するのに磁気を利用することの１つの利点は、ユーザが、筐体のどちらの面を使用したいかを選択できることである。
【００３２】
接着剤は、上記で既に論じたものなどの粘着剤とすることができるが、永久接着剤とすることもできる。そのような永久接着剤は、アクリル・エマルジョン接着剤、ゴム系接着剤、又は耐久性のある接合特性を示す任意の他の好適な材料から選択することができる。
【００３３】
他の実施形態では、磁石によって付着させることができる構成要素は、磁気を使用して所定位置に保持することができる。普通なら磁石で所定位置に保持できない構成要素に対して、一体化磁石を有するシースで構成要素を包むことができる。この実施形態の代替形態では、シースは構成要素の一部しか覆わなくてもよい。
【００３４】
追加として、本願の筐体に所定位置で付着される構成要素は、当業者には有用であると知られている任意の方法を使用して付着させることができる。これには、当然、無頭釘、リベット、ねじ、及び他の機械的方法などの従来の手段が含まれることになる。
【００３５】
図３は、本開示のデバイス及びシステムのいくつかの望ましい態様を示す。この図において、参照番号３０２は、電子デバイスを含む筐体（３００）内の電子デバイスである。筐体は閉じた位置にある。この実施形態では、リビングヒンジは実際には２つのヒンジであり、それらは参照番号３０３Ａ及び３０３Ｂによって指定されている。３０４Ａ及び３０４Ｂとして指定された磁石は、実際には接触していないが、十分に近づいており、閉じられた筐体の２つのモジュールは保持される。この実施形態の１つの特に有用な態様が図４Ａ及び４Ｂに示される。
【００３６】
リビングヒンジは３６０°曲がることができる。これが意味するところは、図示の筐体は電子デバイスを覆うために閉じるか、又は筐体は後ろに曲がって互いに閉じ、デバイスを開けたままにすることができる。筐体が、シャツの袖などの何かを挟んだ状態でそれ自体の上に背面で閉じられる場合、筐体はデバイスを所定位置に保持するように機能し、それによって、作業者の手を解放することができる。図４Ａでは、筐体は、ユーザがデバイスを観察しやすいようにするために電子デバイスをシャツの袖に開いた位置で保持するのに利用されている。図４Ｂでは、デバイスが筐体で覆われた状態で電子デバイスをシャツの袖に所定位置で保持するのに筐体を使用することが示されている。
【００３７】
この概念が、図５Ａ及び５Ｂにさらに示される。これらの図面は、基材（５０４）上に電子構成要素（５０２）を保持する筐体（５０１）を示す。システム全体は参照番号５００を使用して指定される。図５Ａにおいて、筐体は、それ自体の上に背面で折り畳まれ、電子構成要素は見えたままになっている。筐体は、参照番号５０３Ａ及び５０３Ｂを使用して指定された磁石を使用して閉じるのを助ける。
【００３８】
図５Ｂにおいて、筐体は閉じた位置に折り畳まれ、電子構成要素を保護する。この実施形態は、さらに、参照番号５０３Ｃで指定された第３の磁石の使用を示す。５０３Ｃの磁石は、電子構成要素上に又はその中に配置され、電子構成要素は、袖（図示せず）を使用して所定位置に保持されうる。
【００３９】
別の実施形態では、本発明は、筐体と、筐体用の別個のクロージャとを含むシステムであり、筐体用のクロージャはリビングヒンジによって離間した２つのモジュールを有し、第１のクロージャ・モジュール上に又はその中に配置された第１の磁石と、第２のクロージャ・モジュール上に又はその中に配置された第２の磁石又は強磁性若しくはフェリ磁性基材とをさらに含み、筐体はヒンジによって離間した２つの構成要素と、第１の筐体構成要素上に又はその中に配置された第１の磁石と、第２の筐体構成要素上に又はその中に配置された第２の磁石又は強磁性若しくはフェリ磁性基材とを有し、クロージャ及び筐体は、それらを閉じた状態に保持するために、クロージャ構成要素が筐体構成要素に付着するように構成される。この実施形態が図６に示され、システム全体は参照番号６００を使用して指定される。上述の図と同様に、筐体（６０１）は、電子デバイス（６０３）を保護し、リビングヒンジ（６０２）を含み、参照番号６０４Ａ及び６０４Ｂを使用して指定された磁石又は強磁性若しくはフェリ磁性基材を含む。この実施形態では、筐体は、その上に又はその中に位置づけられた磁石を使用することによっては閉じた状態に保持されない。その代りに、筐体は、参照番号６０５を使用して指定された別個のクロージャを使用して閉じた状態に保持される。別個のクロージャの磁石又は強磁性若しくはフェリ磁性基材（６０６Ａ及び６０６Ｂ）は、筐体を閉じた状態に保持するために筐体の向かい合った数字に係合する。
【００４０】
本発明のこの態様のいくつかの実施形態では、別個のクロージャは、可撓性であり、筐体が開いている場合でさえ筐体の所定位置に付着することができる。
【００４１】
関連する実施形態において、本発明は、容器と、容器用の別個のクロージャとを含むシステムであり、容器用のクロージャは、リビングヒンジによって離間した２つのクロージャ・モジュールを有し、第１のクロージャ・モジュール上に又はその中に配置された第１の磁石と、第２のクロージャ・モジュール上に又はその中に配置された第２の磁石又は強磁性若しくはフェリ磁性基材とをさらに含み、容器は、本体と、ヒンジによって接続された蓋と、蓋上に又はその中に配置された第１の磁石と、本体上に又はその中に配置された第２の磁石又は強磁性若しくはフェリ磁性基材とを有し、クロージャ及び筐体は、それらを閉じた状態に保持するために、クロージャが蓋及び本体の両方に付着するように構成される。この実施形態が図７に示される。
【００４２】
図７において、システム（７００）は、参照番号７０１を使用して指定された容器、及び参照番号７０３を使用して指定された蓋の両方を含む。蓋は、ヒンジ（７０２）を使用して容器に接続される。容器は、参照番号７０４Ａ及び７０４Ｂを使用して指定された２つの磁石又は強磁性若しくはフェリ磁性基材を含む。７０４Ａ及び７０４Ｂの磁石又は強磁性若しくはフェリ磁性基材は、蓋を閉じた状態に保持するように機能しないことに留意されたい。そのために、蓋及び容器の両方を閉じた状態に保持するためにそれらにクロージャが付着するように構成された磁石又は強磁性若しくはフェリ磁性基材（７０６Ａ及び７０６Ｂ）を同様に有する別個のクロージャ（７０５）を使用する。
【００４３】
本開示の方法のさらなる別の実施形態において、デバイスは、リビングヒンジによって離間した第１の構成要素と第２の構成要素とを含み、第１のモジュール上に又はその中に配置された第１の磁石と、第２の構成要素上に又はその中に配置された第２の磁石又は強磁性若しくはフェリ磁性基材とをさらに含み、デバイスは、第１の構成要素及び第２の構成要素を接続することができ、第１の磁石と第２の磁石又は強磁性若しくはフェリ磁性基材とが２つの構成要素を一緒に保持するように機能し、デバイスの構成要素間に物体をさらに固定するように構成される。実施形態によっては、デバイスは、磁性、接着剤、又は機械手段を使用して物体を別の物体にさらに固定することができる。
【００４４】
この直ぐ前の実施形態の実用的な用途は極めて広範囲で包括的である。例えば、このデバイスを使用して、ゴルフマーカ、ティー、ディドホルダ（did holder）、鉛筆、弾薬、葉巻、ペーパークリップなどのような物を一緒に保持することができる。上述で示したようにこれらの物品を一緒に保持することに加えて、それらは次に一品の衣類などにさらに固定されうる。この実施形態は、品物の収集物を保持するデバイスを付ける従来の手段を利用することができるとき、範囲がさらに広くなる。
【００４５】
物品の収集をまとめることに加えて、このデバイスを使用して、単一の品物を衣類又は他の場所に付けることができる。例えば、このデバイスを使用して、衣類などの基材に付けることができる単一の品物には、限定はしないが、照明、ビデオカメラ、イヤプラグ、擬似餌、釣り具、クリッパ及び他の化粧品、コンパス、日焼け止め、スピーカ、薬剤、置き時計／腕時計、安全反射鏡、葉巻カッタ、栓抜き、キーホルダ、レーザポインタ、レーザセンサ、無線送信機、ＧＰＳデバイス、リモコンユニット（remotes）、救急用品、名札、巻尺又は小形ねじ回しなどの小さいツールなどが含まれる。
【００４６】
最後に、デバイスを使用して、デバイスを何か他の物に付けることなく、物を一緒に保持することができる。例えば、本開示のデバイスは、ポニーテールホルダとして使用することができる。別の実施形態では、デバイスを使用して、素線又はロープを一緒に保持することができる。さらなる別の実施形態では、クロージャを使用して、食品袋、木炭の袋、飼料袋などを閉じることができる。
【００４７】
別の実施形態では、本発明は、タブレットＰＣ又は他の電子デバイスに磁性物体を取り付けるためのデバイスであり、デバイスは、磁性物体を受け入れるように構成された第１の表面と、タブレットＰＣ又は他の電子デバイスにデバイスを固定するのに機能する接着剤を有する第２の表面とを有する基材と、デバイスの第１の表面に磁性デバイスを固定するために磁性デバイスのまわりを包むように構成される、リビングヒンジを使用して基材に接続された少なくとも１つのバンドとを含む。図８に移ると、このデバイス８００Ａの第１の実施形態が示されており、磁性物体（図示せず）上の磁気引力の区域と一致するように構成された２つの磁石（８０２Ａ）及び（８０２Ｂ）をもつ基材８０１が示されている。この実施形態では、基材への取付けの点（８０４）にリビングヒンジを有する１つのバンド（８０３）が利用される。このバンド上には磁石（８０５）があり、この磁石は、ストラップが磁性物体のまわりに曲げられたとき、この磁石が、（８０６）で指定された基材上の磁石に引きつけられるような極性を有する。
【００４８】
このデバイスを使用する際、磁性物体が最初にバンドに配置され、バンドが物体のまわりに巻き付けられ、その結果、物体が基材上に配置されたとき、バンド上の磁石（８０５）が基材上の磁石（８０６）に係合する。磁性物体は、基材の上に位置した他の２つの磁石（８０２Ａ及び８０２Ｂ）によって基材にさらに固定される。
【００４９】
このデバイスは、当業者には有用であると知られている任意の接着剤を使用してタブレットＰＣ又は他の電子デバイスに付けることができる。例えば、１つの実施形態では、接着剤はアクリル接着剤などの永久接着剤とすることができる。けれども、別の実施形態では、接着剤は粘着剤とすることができる。これにより、デバイスはタブレットＰＣ又は他の電子デバイスから取り外すことができることになり、それは、デバイスを利用する人の一部にとって望ましいことがある。
【００５０】
タブレットＰＣ又は他の電子デバイスに磁性物体を取り付けるためのデバイスの別の実施形態では、１つではなく２つのバンドがある。図９に移ると、ここでは１つではなく２つのバンド（８０３Ａ及び８０３Ｂ）があり、（８０６）として指定された磁石は第２のバンドに移されており、新しい指定（８０５Ｂ）が与えられている。他の要素は変わっていない。
【００５１】
この実施形態を使用する際、磁性物体は、最初に、基材に配置され、磁石（８０２Ａ及び８０２Ｂ）に係合し、次に、バンドが折り畳まれて重ねられ、その結果、磁石（８０５Ａ及び８０５Ｂ）が磁性物体を所定位置にしっかりと保持するように係合する。この実施形態の１つ及び２つのバンドのバージョンが示されているが、いくつかの代替実施形態では、４つまでのバンドがありうる。基材は、さらに、さらなる支持を磁性物体に与えるために基材の周囲のまわりに構造構成物を有することによって磁性物体を受け入れるように構成することができる。
【００５２】
バンドは基材と同じ材料から構成してもよく、又は異なっていてもよい。例えば、代替実施形態では、バンドは弾性材料で製作することができる。そのような実施形態では、弾性はさらなる支持を与えて、磁性物体を基材に固定する。
【００５３】
本発明の別の実施形態は、少なくとも２つの磁石を利用するデバイスへの改善であり、デバイスは、２つの磁石の間を滑らされる物体を受け入れ、物体を所定位置に固定するように構成され、改善は、物体と磁石のうちの１つとの間に少なくとも１つの挿入物を利用することを含み、挿入物はくさびの形状である。図１０に移ると、デバイス（１０００）は、何かある物を所定の位置に留めるために２つの磁石を利用する任意のもの、例えば、図５Ａに示したものなどとすることができる。ここで示すそのようなデバイスの一部分は、第１のフラップ（１００１Ａ）と第２のフラップ（１００１Ｂ）とを含み、それらの中に２つの磁石（１００２Ａ及び１００２Ｂ）が配設される。くさび形状挿入物（１００３）が底部フラップの表面に置かれる。この挿入物は、物体がフラップ間を滑ることができるようにし、磁気引力の方向と平行な力ベクトルを明確に示すことによって機能する。最新の磁石、特に希土類磁石の強度は、磁石を引き離して物体を挿入できるようにするために、この追加の力ベクトルが、時には、必要であるような強度である。この実施形態では、単一の挿入物のみが示されており、フラップの表面上にあるように示されている。代替実施形態は２つの挿入物を含むことができ、それらはフラップの上ではなくフラップの中に配設することができることは本発明の範囲内である。フラップ上に配設される場合、磁石間で物体をさらに滑らせやすくするためにテフロン（登録商標）などの非粘着材料を使用するくさびを対にすることが望ましいことがある。例えば、この実施形態は、眼鏡を一片の衣類に付けるのに有用であろう。
【００５４】
別の実施形態では、本発明は、基材を物体に固定するために少なくとも２つの磁石を有する汎用デバイスであり、基材は多くの異なる構成要素を受け入れるように適合することができる。図１１に移ると、汎用デバイス（１１００）が、物体（１１０３）のまわりに固定された位置で示され、磁石（１１０２Ａ及び１１０２Ｂ）の力は、物体に接触する基材の２つのフラップ（１１０１Ａ及び１１０１Ｂ）を保持するように作用する。固定される位置に基材があるとき露出されている別の磁石（１１０４）が示されている。この露出した磁石を利用して、他の物体を保持することができる。そのような物体の例示は、花（コサージュ又はブートニエールなど）、人形、玩具、宝石、スポーツ用アイテム（マスコットの画像、釣り具、及びインスピレーショナル・インスクリプション（inspirational inscription）など）、名札、及び高周波高密度化デバイスなどのさらに小さい電子デバイスである。ＲＦＩＤデバイスの１つの使用法は、遠出でペット又は子どもを常時監視することであろう。本質的に、磁石で所定位置に保持するのにそれほど重すぎないいかなる物体もこのデバイスとともに利用することができる。
【００５５】
本発明のこの実施形態では、外部磁石は、必ずしも外部にある必要はない。例えば、実施形態によっては、それは基材の母材内に配設されうる。さらなる別の実施形態では、物体と接触して基材を保持するように作用する磁石のうちの１つは、２つの機能を果たすことができ、さらに、基材の外側の所定位置に構成要素を保持するように機能する。
【００５６】
本開示で直接記載した実施形態に加えて、異なる実施形態からの特徴の組合せも特許請求の範囲の範囲内にある。図２に移って、取り付けられるデバイスとともに使用するためのケーブルをどのように格納できるか留意されたい。次に、図６に移る。図４と同様の方法でケーブルを格納することは特許請求の範囲の範囲内にある。この実施形態では、ケーブル（図示せず）は、参照番号６０５を使用して指定された区域にわたってクロージャのまわりにケーブルを巻き付けることによって格納される。デバイスが使用中であるとき、クロージャをちょうど使用して、図４に示したように袖に、又は襟（図示せず）にケーブルの未使用部分を格納することができる。
【００５７】
本開示の本発明の実施形態はリビングヒンジを組み込む。実施形態によっては、リビングヒンジは、デバイスの残りと異なる材料から構成することができる。任意の実施形態において、リビングヒンジは弾性材料から構成することが望ましいことがあり、リビングヒンジの弾性はデバイスの機能を促進するのに役立つ。
【００５８】
図１２を参照すると、別の実施形態において、本発明は、第１のタブ（１２０１）、リビングヒンジ（１２０３）、及び第２のタブ（１２０４）を含むファイバー又はコード管理システム（１２００）であり、リビングヒンジはタブよりも実質的に狭く、第１のタブは単一磁石（１２０２）を有し、第２のタブは、第１のタブの磁石と逆の極性を有する少なくとも３つの磁石（１２０５）を有し、リビングヒンジは、ファイバー又はコードを巻き付けることができる基材として機能し、第１のタブは、コード又はファイバーの張力を維持するように選択された取付けの点に第１のタブを被せることによって、第２のタブに取り付くように位置づけることができる。第１のタブの磁石は、第２のタブの磁石のうちのいずれかの上に配置することができ、それによって、ユーザは、リビングヒンジ上に巻き付けられるコード又はファイバーにかける張力を調節することができる。
【００５９】
図１３を参照すると、本発明の別の実施形態は、基材を物体に固定するために少なくとも２つの磁石を有する特定用途デバイス（１３００）であり、基材は、眼鏡（１３０１）をスマート眼鏡に変換するのに有用な構成要素を受け入れるように適合することができる（図１１を参照）。本願の目的では、「スマート眼鏡」という用語は、眼鏡のような頭に装着されるデバイスであるが、さらに、限定はしないが、テキスト、グラフィックス、又は映像を表示する画面（１３０３）、スピーカ及び／又はマイクロホン、電源、ワイファイ又はセルラデータリンク、携帯電話などのような電子属性を有するデバイスを意味するように定義される。実施形態によっては、電子構成要素はすべて特定用途デバイス上に又はその中に存在することができる。他の実施形態では、電子構成要素のうちの１つ又は複数は他の場所に付けることができるが、注意したいことは、電子要素のうちの少なくとも１つが特定用途目的デバイス上に又はその中にあることである。
【００６０】
本開示の本発明のすべての実施形態に他の材料を組み込むことができる。例えば、本願の方法及び装置にとって有用なクリーナ材料には、限定はしないが、布地が含まれる。例示の布地には、マイクロファイバ布、オープンエンド織りマイクロファイバ布、表示画面に接触する外側層がマイクロファイバ布である二重層布、及びそれらの組合せが含まれる。本願の目的では、「布地」という用語は、動物の皮などの非植物材料、及び／又は合成材料又は動物材料を使用して準備された布をさらに含むように定義される。少なくとも１つの実施形態では、布地はセーム皮（別名、シャモア）とすることができる。別の実施形態では、クリーニング材料は、iKlearから入手できるものなどのMicro Shamois Clothとして当技術分野で普通に知られている材料とすることができる。過度の摩耗又は摩損を引き起こさず表示画面を清浄にするのに使用することができる任意のクリーニング材料を、本願の方法及び装置に使用することができる。
【００６１】
使用されるクリーニング表面の１つの例が図１４に示される。その中に、２つのモジュールが、それらの間のリビングヒンジ（１４０３）とともに示されてる（１４０４、右のみ）。２つの磁石（１４０１）があるが、モジュールの内部に含まれている。クリーニング表面（１４０２）が存在する。クリーニング表面を使用して、眼鏡レンズなどの物体の両側を清浄化することができる。そのような実施形態の別の用途は、靴の結び目を固定するためにデバイスを使用することである。これは、ほどけた靴がもとで容易に転ぶことがある小さい子どもにとって特に有用である。
【００６２】
衣類又は移送の形態に配置することができる本発明の実施形態はいずれも、有利には、特に夜間に可視性を改善することができる。例えば、任意のそのような実施形態は、反射性又は高可視性の塗料又はテープをさらに含むことができる。そのような実施形態の用途は、子どもが夜間に歩く場合に使用すること、又は故障車の後部で使用することを含むことができる。
【００６３】
本願では、反磁性体という用語を使用して、強磁性又はフェリ磁性でない材料を叙述している。実用的観点から、常磁性の材料は、磁石への非常に弱い引力を有し、それらは、利用される場合、効果的でないことになり、したがって、反磁性であるかのように扱うべきである。
【図１】
2020025299.tif 000003
【図２】
2020025299.tif 000004
【図３】
2020025299.tif 000005
【図４Ａ】
2020025299.tif 000006
【図４Ｂ】
2020025299.tif 000007
【図５Ａ】
2020025299.tif 000008
【図５Ｂ】
2020025299.tif 000009
【図６】
2020025299.tif 000010
【図７】
2020025299.tif 000011
【図８】
2020025299.tif 000012
【図９】
2020025299.tif 000013
【図１０】
2020025299.tif 000014
【図１１】
2020025299.tif 000015
【図１２】
2020025299.tif 000016
【図１３】
2020025299.tif 000017
【図１４】
2020025299.tif 000018
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
電子デバイスであって、
連続した材料によって形成されたリビングヒンジであって、前記リビングヒンジによって離間した第１及び第２のモジュールを備える少なくとも２つのモジュールが前記連続した材料において画定されている、リビングヒンジと、
前記第１及び第２のモジュールの少なくとも一方に取り外し自在に装着される電子構成要素と、を備え、
前記第１のモジュールに沿って配置された第１の希土類磁石と、前記第２のモジュールに沿って配置された第２の磁石、希土類磁石、又は強磁性若しくはフェリ磁性基材とが、該電子デバイスを物体のまわり又は物体に取り付けるように構成される、電子デバイス。
【請求項２】
前記電子構成要素は、表示画面を含む、請求項１に記載の電子デバイス。
【請求項３】
前記電子構成要素は、ループを用いて前記第１及び第２のモジュールの少なくとも一方に取り外し自在に装着される、請求項１又は２に記載の電子デバイス。
【請求項４】
前記電子構成要素は、スリットを用いて前記第１及び第２のモジュールの少なくとも一方に取り外し自在に装着される、請求項１又は２に記載の電子デバイス。
【請求項５】
前記電子構成要素が、腕時計、置き時計、電話、ＧＰＳデバイス、無線送信機、デジタル音楽プレーヤ、スピーカ、及びこれらの組み合わせからなる群から選択される、請求項１ないし４のいずれか一項に記載の電子デバイス。
【請求項６】
前記リビングヒンジによって離間した前記少なくとも２つのモジュールは、第１及び第２の磁石を有していると共に、前記第１及び第２の磁石の極性により前記リビングヒンジによって離間した前記少なくとも２つのモジュールに前記物体のまわりに巻きつくことができるように構成される、請求項１ないし５のいずれか一項に記載の電子デバイス。
【請求項７】
前記電子デバイスは、前記物体に取り付けられたとき、ハンズフリーで使用できるように構成される、請求項１ないし６のいずれか一項に記載の電子デバイス。
【請求項８】
前記少なくとも２つのモジュールの一方は、フェリ磁性材料又は強磁性材料であり、前記少なくとも２つのモジュールの他方は、少なくとも１つの磁石を含む、請求項１ないし７のいずれか一項に記載の電子デバイス。
【請求項９】
前記２つのモジュールの少なくとも一方は、連続したフェリ磁性基材である、請求項１ないし８のいずれか一項に記載の電子デバイス。
【請求項１０】
前記リビングヒンジの自然な曲がり点は、連続したフェリ磁性材料である、請求項１ないし９のいずれか一項に記載の電子デバイス。
【請求項１１】
前記電子デバイスは、前記物体上の前記電子デバイスの張力を調節するように操作され得る、請求項１ないし１０のいずれか一項に記載の電子デバイス。